(57)【要約】【課題】継手付き短下肢装具を装着した状態で靴を履いても、ライニングの破損を抑制できる月型芯と、この月型芯を備える靴を提供する。【解決手段】上述した目的を達成するために、この発明の月型芯は、平板状の本体部５を備え、本体部は、第１の方向に沿って、順に第１部分１０、第３部分３０及び第２部分２０を有し、第１部分及び第２部分には、本体部の一方の主表面である第１面５ａに、第１の方向に直交する第２の方向に沿って、第１の方向の両辺に渡って凹部１１及び２１が設けられて構成されている。【選択図】図１
2020000521.tif 000002
【特許請求の範囲】
【請求項１】
平板状の本体部を備え、
前記本体部は第１の方向に沿って、順に第１部分、第３部分及び第２部分を有し、
前記第１部分及び前記第２部分には、前記本体部の一方の主表面である第１面に、前記第１の方向に直交する第２の方向に沿って、第１の方向の両辺に渡って凹部が設けられている
ことを特徴とする月型芯。
【請求項２】
前記凹部は、前記第２の方向に平行な線で、前記第１の方向に沿って順に、いずれも第１面側に、山折り、谷折り、谷折り及び山折りされて形成されている
ことを特徴とする請求項１に記載の月型芯。
【請求項３】
前記本体部は、前記第１面側が内側に湾曲している
ことを特徴とする請求項１又は２に記載の月型芯。
【請求項４】
前記本体部は、可撓性を有する材質で形成されていて、
前記第１面側を内側に湾曲可能である      
ことを特徴とする請求項１又は２に記載の月型芯。
【請求項５】
請求項１〜４のいずれか一項に記載の月型芯を備え、
前記第３部分が、踵部分に配置され、
前記第１部分及び前記第２部分が、踝部分に配置される
ことを特徴とする靴。
【発明の詳細な説明】
【技術分野】
【０００１】
この発明は、例えば、短下肢装具使用者の靴に用いて好適な月型芯と、この月型芯を備える靴に関する。
【背景技術】
【０００２】
脳血管障害は歩行障害を伴うことが多く、下肢装具を使用してのリハビリテーションが広く行われている。下肢装具として、継手付き短下肢装具が広く使用されている（例えば、非特許文献１参照）。近年、継手付き短下肢装具の使用者が、デザイン性の優れた市販の靴を履きたいという要望が高まりつつある。
【０００３】
ここで、靴の製造にあたり、作業性を向上させるために、月型芯が用いられる（例えば、特許文献１参照）。
【先行技術文献】
【特許文献】
【０００４】
【特許文献１】特公平０６−７７５２４号公報
【非特許文献】
【０００５】
【非特許文献１】高島孝倫著「プラスチック短下肢装具の現状−短下肢装具の構成力と痙性との適応に関する考察−」日本義肢装具学会誌  １９（２）、１１４−１１９、２００３
【発明の概要】
【発明が解決しようとする課題】
【０００６】
しかしながら、従来の月型芯は、靴の製造にあたり作業性を向上させるためのものであり、継手付き短下肢装具の使用者の便宜を図っていない。このため、継手付き短下肢装具を装着した状態で市販靴を履くと、歩行の際に靴の履き口内側のライニングと、足継手部分が常に擦れ合うため、ライニングに破損が生じ、靴の寿命が短くなってしまう。
【０００７】
この発明は、上述の問題点に鑑みてなされたものであり、この発明の目的は、継手付き短下肢装具を装着した状態で靴を履いても、ライニングの破損を抑制できる月型芯と、この月型芯を備える靴を提供することにある。
【課題を解決するための手段】
【０００８】
上述した目的を達成するために、この発明の月型芯は、平板状の本体部を備え、本体部は、第１の方向に沿って、順に第１部分、第３部分及び第２部分を有し、第１部分及び第２部分には、本体部の一方の主表面である第１面に、第１の方向に直交する第２の方向に沿って、第１の方向の両辺に渡って凹部が設けられて構成されている。
【０００９】
上述した月型芯の好適実施形態によれば、本体部は、平板状に構成され、凹部は、第２の方向に平行な線で、第１の方向に沿って順に、いずれも第１面側に、山折り、谷折り、谷折り及び山折りされて形成されている。
【００１０】
また、この月型芯の他の好適実施形態によれば、本体部は、第１面側が内側に湾曲している。また、本体部は、可撓性を有する材質で形成されていて、第１面側を内側に湾曲可能であってもよい。
【００１１】
また、この発明の靴は、上述の月型芯を備えて構成され、第３部分が、踵部分に配置され、第１部分及び第２部分が、踝部分に配置される。
【発明の効果】
【００１２】
この発明の月型芯によれば、第１部分及び第２部分に凹部が設けられていて、靴に取り付けられた時に踝付近に配置される。このため、継手付き短下肢装具を装着した状態で靴を履いた場合に、凹部に、継手付き短下肢装具の足継手部分が収納される。この結果、歩行の際に靴の履き口内側のライニングと、足継手部分が擦れ合うことがなくなるので、ライニングの破損を抑制できる。
【図面の簡単な説明】
【００１３】
【図１】月型芯の模式図である。
【図２】靴と短下肢装具の模式図である。
【図３】月型芯の靴への取付方法を説明するための模式図である。
【発明を実施するための形態】
【００１４】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１５】
（月型芯）
図１及び図２を参照して、この発明の月型芯について説明する。図１は、月型芯の模式図である。図１（Ａ）は、月型芯の一方の主表面を示す平面図であり、図１（Ｂ）は、側面図である。図２は、靴と短下肢装具の模式図である。図２（Ａ）は、靴を示す図であり、図２（Ｂ）は、短下肢装具を示す図であり、図２（Ｃ）は、短下肢装具を装着した人が靴を履いた場合の、靴と短下肢装具の関係を示す図である。
【００１６】
この発明の月型芯は、平板状の本体部５を備えて構成される。本体部５の平面形状は、月型芯が取り付けられる靴の形状や大きさに応じて定められる。ここでは、平面形状が長方形である場合を説明するが、これに限定されない。
【００１７】
本体部５は、第１の方向に沿って、第１部分１０、第３部分３０及び第２部分２０を順に有している。月型芯が靴に取り付けられたとき、第３部分３０が踵付近に配置され、それぞれ第３部分３０に接続されている、第１部分１０及び第２部分２０が踝付近に配置される。
【００１８】
本体部５は、平板状の可撓性部材、例えば、厚さ１．５ｍｍの軟性ポリエチレンで形成される。これにより、本体部５は、湾曲又は折り曲げ可能となっている。
【００１９】
本体部５の一方の主表面である第１面５ａには、凹部１１及び２１が設けられている。凹部１１及び２１は、第１部分１０及び第２部分２０に設けられる。この第１面５ａは、内側（使用者の足側）に配置される面である。凹部１１及び２１は、第１の方向に直交する第２の方向に沿って、第１の方向に沿った一方の辺から他方の辺に渡って設けられる。
この凹部１１及び２１は、継手付き短下肢装具を装着した状態で靴を履いた場合に、継手付き短下肢装具の足継手部分５０が収納される位置及び大きさで形成される。この結果、凹部１１及び２１に、継手付き短下肢装具の足継手部分５０が収納されるので、歩行の際に靴の履き口内側のライニングと、足継手部分５０が擦れ合うことがなくなり、ライニングの破損を抑制できる。
【００２０】
凹部１１及び２１の形成は、任意好適な方法で行うことができる。例えば、凹部１１及び２１を、第１の方向に沿って順に、いずれも、第１面側に、山折り、谷折り、谷折り及び山折りして形成することができる。本体部５の材質が軟性ポリエチレンである場合、平板状の本体部の、凹部１１及び２１を形成する箇所に角材を当ててヒートガンで本体部を温めることにより、所望の形状及び大きさで凹部１１及び２１が形成される。
【００２１】
凹部１１及び２１を除く本体部５は、平板状としておき、靴に取り付ける際に、第１面５ａ側を内側に湾曲させるように月型芯を構成してもよいし、予め第１面５ａ側を内側に湾曲させて月型芯を構成してもよい。ここで、凹部１１及び２１を除く本体部５ａを平板状にしておくと、靴に取り付けられた後、靴の履き口を広げる方向に力が加わる。この結果、片麻痺患者など足や手の動きが不自由な人にとって、靴の着脱が容易になる。
【００２２】
なお、凹部１１及び２１を除く本体部５ａが湾曲している場合であっても、第１部分１０と第２部分２０の間隔が、靴の幅よりも大きければ、凹部１１及び２１を除く本体部５ａが平板状である場合と同様に、靴に取り付けられた後、靴の履き口を広げる方向に力が加わるので、靴の着脱が容易になる。
【００２３】
（月型芯の取付方法）
図３を参照して、上述した月型芯の、靴への取付方法を説明する。図３は、月型芯の靴への取付方法を説明するための模式図である。図３（Ａ）及び（Ｂ）は、靴の履き口の切断端面を示している。
【００２４】
靴として、例えば、一般的に市販されているスニーカーを用いる場合を説明するが、靴はスニーカーに限定されない。なお、短下肢装具を装着して靴を履くため、靴のサイズは、実際の足の大きさに対して決まるものよりも長く、また、幅広の靴を用いるのが良い。また、ここでは、凹部を除く本体部は、平板状としている。
【００２５】
先ず、靴の履き口上部において甲革１とライニング６を切り離す（図３（Ａ））。ここで、甲革１は、靴の外側表面を構成する部材であり、ライニング６は、靴の内側表面を構成する部材である。甲革１とライニング６を切り離した後、甲革１とライニング６の間のスポンジ３を除去する。
【００２６】
次に、月型芯４のコバ面（側面）をやすりがけして、角を落とし滑らかにする。また、主表面についても接着剤の定着を促すためにやすりがけする。
【００２７】
次に、新たなライニング７と甲革１とを、先の工程で甲革１とライニング６を切り離した靴の履き口上部において縫い合わせる。
【００２８】
その後、月型芯４の２つの主表面と、甲革１の内側表面に接着剤を塗布して、甲革１に月型芯４を接着する。さらに、ライニング７の内側に接着剤を塗布して、月型芯４にライニング７を接着する（図３（Ｂ））。
【００２９】
上述の工程により、上述した月型芯を備える靴が完成する。  
【００３０】
この、上述した月型芯を備える靴では、月型芯が、継手付き短下肢装具の足継手部分を収納する凹部を有しているので、歩行の際に靴の履き口内側のライニングと、足継手部分が擦れ合うことがなくなり、ライニングの破損を抑制できる。また、凹部を除く本体部を平板状にしておくと、靴の履き口が広がり、片麻痺患者など足や手の動きが不自由な人にとって、靴の着脱が容易になる。例えば、サイズが２８ｃｍ、幅４Ｅタイプの市販のスニーカーに上述した月型芯を取り付けた場合、購入時の履き口の幅が８５ｍｍであったのに対し、月型芯を取り付けた後は、履き口の幅が１００ｍｍとなった。
【符号の説明】
【００３１】
１    甲革
３    スポンジ
４    月型芯
５    本体部
６、７    ライニング
１０    第１部分
２０    第２部分
３０    第３部分    
５０    足継手部分
【図１】
2020000521.tif 000003
【図２】
2020000521.tif 000004
【図３】
2020000521.tif 000005